(57)【要約】【課題】液晶可変焦点レンズを用いたカメラモジュールは、温度変化によって液晶層のセルギャップが部分的に異なることで液晶レンズとしての特性に誤差が生じていた。【解決手段】複数の透明基板間にシール部材によって形成された液晶セル内に、第１の液晶材料を封入してなる液晶可変焦点レンズを含む光学系と、当該光学系を通して結像する光学像を電気信号に変換して画像信号を出力する撮像素子と、光学系と撮像素子とを内挿する鏡筒と液晶可変焦点レンズの屈折率を制御するための駆動電圧を供給する駆動制御手段とを備え、液晶セルを構成するシール部材の体積膨張率と、液晶材料の体積膨張率とを略等しくなるように設定されているカメラモジュールにおいて、複数の透明基板のどれか一つの基板のみが鏡筒に保持固定された構成を採用した。【選択図】図１
2008058882.tif 000002
【特許請求の範囲】
【請求項１】
第１、第２の透明基板間にシール部材によって形成された液晶セル内に、第１の液晶材料を封入してなる液晶可変焦点レンズを含む光学系と、
当該光学系を通して結像する光学像を電気信号に変換して画像信号を出力する撮像素子と、
前記光学系と前記撮像素子とを内挿する鏡筒と、
前記液晶可変焦点レンズの屈折率を制御するための駆動電圧を供給する駆動制御手段と、を備え、
前記液晶可変焦点レンズは、前記液晶セルを構成する前記シール部材の体積膨張率と、前記液晶材料の体積膨張率とを略等しくなるように設定されて、前記第１、第２の透明基板のいずれか一方の基板のみが前記鏡筒に保持固定されている
ことを特徴とするカメラモジュール。
【請求項２】
前記第２の透明基板における、前記第１の液晶材料とは反対側の面から離間した位置に第３の透明基板を設け、
前記第２の透明基板と前記第３の透明基板との間に、前記第１の液晶材料における配向方向と直交するように設定された第２の液晶材料が封入されてなる
ことを特徴とする請求項１に記載のカメラモジュール。
【請求項３】
前記鏡筒に保持固定されている前記第１、第２の透明基板のいずれか一方の基板表面には、前記光学像を前記撮像素子に導くための絞りが形成されている
ことを特徴とする請求項１または２に記載のカメラモジュール。
【請求項４】
前記駆動制御手段は、前記液晶可変焦点レンズに前記駆動電圧を供給する駆動回路と、
当該駆動回路の供給電圧を可変する制御回路と、
当該制御回路に温度情報を供給する温度検出手段と、を備え、
前記温度検出手段からの前記温度情報に基づき、前記駆動電圧を可変制御する
ことを特徴とする請求項１から３のいずれか一項に記載のカメラモジュール。
【請求項５】
前記駆動制御手段は、前記温度情報が常温より高い場合は、第１の駆動電圧を供給し、
常温より低い場合は、前記第１の駆動電圧よりも低い値の第２の駆動電圧を供給する
ことを特徴とする請求項４に記載のカメラモジュール。
【請求項６】
前記液晶可変焦点レンズにおける前記シール部材は、ポリエチレン樹脂により形成されたシール部材である
ことを特徴とする請求項１から５のいずれか一項に記載のカメラモジュール。
【発明の詳細な説明】
【技術分野】
【０００１】
本発明は、カメラの自動合焦点装置に用いられ、液晶可変焦点レンズを備えたカメラモジュールに関する。
【背景技術】
【０００２】
カメラの自動合焦点装置におけるオートフォーカス（ＡＦ）制御に液晶可変焦点レンズを用い、この液晶レンズとともに光学レンズを鏡筒内に内挿した形態を採用することで、ＡＦ制御を行うカメラモジュールが知られている（例えば、特許文献１参照のこと）。ところが従来の液晶可変焦点レンズでは、温度変化があった場合には充分なオートフォーカス制御が出来ないという問題があった。
【０００３】
その主な原因は、液晶可変焦点レンズが使用環境温度の変化によって液晶層のセルギャップが部分的に変動してしまうことに起因して、液晶可変焦点レンズで設定される設定屈折率分布からずれてしまうという問題が生ずる。
【０００４】
この現象について更に詳細に説明をする。図６は、従来の液晶可変焦点レンズの断面図で、その問題となる状況を模式的に表しており、図６（ａ）は使用環境温度が常温環境下、図６（ｂ）は低温環境下、図６（ｃ）は高温環境下での液晶可変焦点レンズ４０の状態を示している。
【０００５】
図６（ａ）において、４０は液晶可変焦点レンズ、２ａ、２ｂは透明基板、１５は透明基板２ａ、２ｂを接着するシール部材、４は液晶材料が封入された液晶層で、透明基板２ａ、２ｂとシール部材１５によって密閉された空間にこの液晶層４が充填形成されている。また、７は制御電極、８は対向電極であり、各々透明基板２ａ、２ｂの内面側に設けられており、各制御電極７と対向電極８間に異なる制御電圧を印加することによって、各制御電極７に対応する位置の液晶層４の位相状態を変化させてレンズとしての機能を果たすことになる。
そして、この液晶可変焦点レンズ４０は、カメラモジュールの鏡筒６内に内挿されて、透明基板２ａ、２ｂが、ともにこの鏡筒６に固定剤を用いて保持固定される。
【０００６】
また、常温環境下の液晶可変焦点レンズ４０は、図６（ａ）に示したように、液晶層４の層厚であるセルギャップは、図示していないスぺーサーによって設計値に保たれているため、透明基板２ａ、２ｂは略平行になっており、液晶可変焦点レンズ４０の全面が同一のセルギャップＬＮとなる。
【０００７】
それに対して低温環境下の液晶可変焦点レンズ４０は、温度変化によって液晶層４を構成する液晶材料が収縮するが、液晶材料に比べて体積膨張率の小さいシール部材１５は形状変化をせず、かつ鏡筒６に固定剤９で保持固定されているので、透明基板２ａ、２ｂが内側に引っ張られ、図６（ｂ）に示すような中凹形状（ベコ形状）となる。すなわち液晶層４のセルギャップは、中心付近で図示のＬＬのごとく常温での値ＬＮよりも小さく、しかも液晶可変焦点レンズ４０のセルギャップが部分的に異なる形状となる。
【０００８】
また、高温環境下の液晶可変焦点レンズ４０は、液晶層４を構成する液晶材料が膨張するため、透明基板２ａ、２ｂが外側に押され、図６（ｃ）に示すような中凸形状（タイコ形状）となる。すなわち液晶層４のセルギャップは、中心付近で図示のＬＨのごとく常温での値ＬＮよりも大きく、しかも液晶可変焦点レンズ４０のセルギャップが部分的に異なる形状となる。
【０００９】
一般に液晶可変焦点レンズ４０は、上下の透明基板２ａ、２ｂが平行状態に保たれて液晶層４全体の層厚が同一の条件において、液晶可変焦点レンズ４０で形成する屈折率分布を決めており、この設定屈折率分布に対応した制御電圧を各制御電極７と対向電極８間に印加するよう設計されている。
【００１０】
このため、図６（ｂ）図６（ｃ）のように、外部環境温度の変化によって液晶可変焦点レンズ４０のセルギャップが部分的に異なってしまうと、液晶可変焦点レンズ４０で設定される設定屈折率分布からずれてしまい、カメラの自動合焦点装置のＡＦ制御が充分行なわれなくなる。
【００１１】
この外部環境温度の変化に対するセルギャップ管理の方法として、液晶光学素子内に液晶層と気泡の双方を狭持し、かつ気泡と液晶層間に気泡固定手段を設けて気泡が光学的有効領域に進入しないよう構成し、外部環境温度の変化による液晶光学素子内部の圧力の増減を当該気泡の体積の増減により吸収しようという提案がされている（例えば特許文献２参照のこと）。
【００１２】
このような構成とすることで、例え外部環境温度が変化したとしても液晶光学素子のセルギャップを一定に保つことができる。
【００１３】
【特許文献１】特開平２−１８４８２２号公報（第２頁、第１−３図）
【特許文献２】特開２００３−４５０６５号公報（第２頁、第１−２図）
【発明の開示】
【発明が解決しようとする課題】
【００１４】
しかし、特許文献２の提案による構成では、液晶光学素子のセルギャップを一定に保つことが出来るものの、気泡が液晶層に溶け込んでしまい圧力の吸収体として機能しなくなってしまうという問題がある。また、気泡が液晶層に溶け込むにしたがって、気泡から液体に変化することによる体積収縮が起きるため、液晶光学素子内の圧力低下が起こることに起因して上下基板を内側に引っ張るため、液晶光学素子を図６（ｂ）に示した中凹形状にしてしまうという問題がある。
【００１５】
さらには、液晶層中に溶け込んだ気泡は、外部環境温度が高温から低温に変化した時に再び気化することとなるが、このような状況で気化した気泡が光学的有効領域に集まってしまうことを阻止することは出来ないという問題もある。
【００１６】
したがって、特許文献２に記載の液晶光学素子の構成を、前述した液晶可変焦点レンズ４０に適用したとしても、必ずしもカメラの自動合焦点装置のオートフォーカス制御が充分行なわれなくなるのは明白である。
【００１７】
そこで、本発明は、上記課題を解決し、液晶可変焦点レンズの温度変化による液晶層のセルギャップの部分的変動を抑え、使用温度範囲全般にわたって設定される設定屈折率分布からずれることのない液晶可変焦点レンズを備えたカメラモジュールを提供することを目的とする。
【課題を解決するための手段】
【００１８】
上記課題を解決するための本発明におけるカメラモジュールの構成は、基本的に下記記載の構成要件を有するものである。
【００１９】
本発明のカメラモジュールは、第１、第２の透明基板間にシール部材によって形成され
た液晶セル内に、第１の液晶材料を封入してなる液晶可変焦点レンズを含む光学系と、当該光学系を通して結像する光学像を電気信号に変換して画像信号を出力する撮像素子と、光学系と撮像素子とを内挿する鏡筒と、液晶可変焦点レンズの屈折率を制御するための駆動電圧を供給する駆動制御手段とを備え、液晶セルを構成するシール部材の体積膨張率と、液晶材料の体積膨張率とを略等しくなるように設定されていて、第１、第２の透明基板のいずれか一方の基板のみが鏡筒に保持固定されていることを特徴とするものである。
【００２０】
また、本発明のカメラモジュールは、前述した第２の透明基板における、第１の液晶材料とは反対側の面から離間した位置に第３の透明基板を設け、第２の透明基板と第３の透明基板との間に、第１の液晶材料における配向方向と直交するように設定された第２の液晶材料が封入されてなることを特徴とするものである。
【００２１】
また、本発明のカメラモジュールは、前述した鏡筒に保持固定されている第１、第２の透明基板のいずれか一方の基板表面に、光学像を撮像素子に導くための絞りが形成されていることを特徴とするものである。
【００２２】
また、本発明のカメラモジュールは、前述した駆動制御手段が、液晶可変焦点レンズに駆動電圧を供給する駆動回路と、当該駆動回路の供給電圧を可変する制御回路と、当該制御回路に温度情報を供給する温度検出手段とを備え、温度検出手段からの温度情報に基づき、駆動電圧を可変制御することを特徴とするものである。
【００２３】
また、本発明のカメラモジュールは、前述した駆動制御手段が、温度情報が常温より高い温度情報の場合は第１の駆動電圧を供給し、常温より低い温度情報の場合は第１の駆動電圧よりも低い電圧の第２の駆動電圧を供給することを特徴とするものである。
【００２４】
また、本発明のカメラモジュールは、前述したシール部材がポリエチレン樹脂であることを特徴とするものである。
【発明の効果】
【００２５】
本発明のカメラモジュールによれば、液晶可変焦点レンズにおける液晶材料とシール部材との体積膨張率を略等しくしたため、外部環境温度が大きく変化した場合に、液晶可変焦点レンズの液晶層のセルギャップは変化することとなるが、液晶材料とシール部材とが同じ比率で変化し、且つ、鏡筒に保持固定されていない基板が、上下に動くように構成しているので、従来のように液晶可変焦点レンズのセルギャップが部分的に変化して中凹形状や中凸形状になることを防止することができる。したがって、この本発明のカメラモジュールを用いれば、外部環境温度が変化したとしても、撮像素子に歪みのない画像を形成することができる。
【００２６】
また、本発明のカメラモジュールは、鏡筒に保持固定されている透明基板表面に絞りを形成したので、温度変動による歪み、光量変動、計算外の角度からの光線入射等による異常のない画像を形成することが出来るようになる。
【００２７】
また、温度検出手段を用いて可変焦点レンズを制御する駆動電圧を制御する事によって、平行に変化した液晶層のセルギャップに合せた駆動を行うことが可能となり、温度変化に係わらず液晶可変焦点レンズで補正される設定補正量を確保する事ができるカメラモジュールとなる。
【発明を実施するための最良の形態】
【００２８】
まず、本発明のカメラモジュールの構成について図面を用いて説明する。図１は、本発明のカメラモジュールの構成を示す断面図である。
図１に示すように、本発明のカメラモジュール１は、３枚の透明基板２ａ〜２ｃと、透明基板２ａ〜２ｃ間にシール部材５によって形成された液晶セル内に、液晶材料を封入してなる液晶レンズ２０と４枚の光学レンズ１１とを含む光学系と、当該光学系を通して結像する光学像を電気信号に変換して画像信号を出力する撮像素子１２と、上記光学系と撮像素子１２とを内挿する鏡筒６と、液晶レンズ２０の屈折率を制御するための駆動電圧を供給する駆動制御手段（図示せず）とを備えた構成となっている。さらに、上記液晶レンズ２０は、液晶セルを構成する上述したシール部材５の体積膨張率と、液晶材料の体積膨張率とを略等しくなるように設定され、かつ透明基板２ｂのみを鏡筒６に保持固定するとともに、透明基板２ａ、２ｃを、上下に動くスペースを持つように構成してある。以下に、本発明のカメラモジュール１の構成について図面に基づいてさらに詳細に説明する。
【実施例１】
【００２９】
本発明のカメラモジュールの構成例について説明する。図２は、図１に示した本発明のカメラモジュール１の機能ブロック図である。
図２における符号１は図１に示した本発明のカメラモジュールを、符号２０は液晶レンズを示している。この液晶レンズ２０は、後に詳細に説明する２個の液晶可変焦点レンズによって構成されている。符号１１は図１で示した４枚の光学レンズ、符号１２は撮像素子、符号２４はデジタルシグナルプロセッサ（以後ＤＳＰと略記する）、符号２５はオートフォーカス制御回路（以後ＡＦ制御回路と略記する）であり、このＡＦ制御回路はＣＰＵ２６と記憶装置２７とを有する。符号３０は駆動制御手段であり、液晶レンズ２０に駆動電圧を供給する駆動回路３１と、当該駆動回路３１の供給電圧を可変する制御回路３２と、当該制御回路３２に温度情報を供給する温度検出手段３３を備えている。
【００３０】
液晶レンズ２０は、前述したようにＰ波用とＳ波用と２個の液晶可変焦点レンズを組み合わせた構成となっている。この２個の液晶可変焦点レンズの構成は、配向方向が直交するように設定されているが、他の構成は基本的に同じとして２つの液晶可変焦点レンズを貼り合わせる、または３枚の透明基板間の２つの間隙のそれぞれに、液晶層を挟持した構成とすれば良い。また、光学レンズ１１は、図示しない、絞り、パンフォーカス組レンズ及び赤外線カットフィルタを有する。また、撮像素子１２は、ＣＣＤやＣＭＯＳ等の固体撮像素子よりなるイメージセンサとＡ−Ｄ変換器を有する。そして、２個の液晶可変焦点レンズによって構成される液晶レンズ２０と、駆動制御手段３０、ＡＦ制御回路２５とを含めて本発明のカメラモジュール１となる。
【００３１】
次に、カメラモジュール１の自動合焦点機能について説明する。
液晶レンズ２０及び光学レンズ１１を通過して結象した光学像は、撮像素子１２により電気信号に変換される。撮像素子１２から出力された電気信号は、図示しないＡ−Ｄ変換器によりデジタル信号に変換される。ＤＳＰ２４は、Ａ−Ｄ変換器から出力されたデジタル信号に対して画像処理を行う。ＡＦ制御回路２５は、液晶レンズ２０の通過応答中にＤＳＰ２４から出力された画像信号を所定の周期でサンプリングすることにより、焦点整合度に対応した複数の焦点信号（オートフォーカス信号）を抽出する。そして、ＡＦ制御回路２５は、抽出された複数の焦点信号に基づいて焦点信号のレベルが最大となる時のサンプリングタイミングを判定し、その判定結果に基づいて液晶レンズ２０を構成する液晶可変焦点レンズの駆動条件の制御を行うＡＦ制御信号Ｓａｆを出力する。
【００３２】
また、ＡＦ制御回路２５は、上述した一連の制御を行うＣＰＵ２６と記憶装置２７を有し、記憶装置２７は、ＣＰＵ２６が実行するプログラムや最適な駆動電圧を求めるために必要なデータなどを格納した読み出し専用メモリ部（ＲＯＭ）と、ＣＰＵが作業領域として使用する書き込み可能なメモリ部（ＲＡＭ）を有する。
【００３３】
また、駆動制御手段３０は、ＡＦ制御回路２５から出力されたＡＦ制御信号Ｓａｆが制
御回路３２に入力されると、制御回路３２は、ＡＦ制御信号Ｓａｆによって指定された最適な駆動電圧を作成し駆動回路３１に供給する。駆動回路３１は、最適な駆動電圧Ｖａｆを出力して液晶レンズ２０を構成する液晶可変焦点レンズを制御してＡＦ制御が行なわれる。以上が通常の自動合焦点機能のＡＦ制御動作である。
【００３４】
ここで、本発明におけるカメラモジュール１の温度変化に対する液晶可変焦点レンズ１０について図面を用いてより詳細に説明する。但し説明を簡易にするため、上記Ｐ波Ｓ波用の２個の液晶可変焦点レンズ１０の内の１個についてのみで以下の説明を行うこととする。図３は、図１における液晶レンズ２０の内の１つの液晶可変焦点レンズ１０を鏡筒６に固定配置した構成例を示す図面である。図４（ａ）は、使用環境温度が常温環境下のときの液晶可変焦点レンズ１０の状態を、図４（ｂ）は低温環境下での液晶可変焦点レンズ１０の状態を、図４（ｃ）は高温環境下での液晶可変焦点レンズ１０の状態を示している。
なお、図１に示した液晶レンズ２０に含まれる液晶可変焦点レンズ１０の基本的構成は、従来の構成と基本的に同様である。従って、図１における本発明のカメラモジュール１に搭載される液晶可変焦点レンズ１０の説明において、従来の液晶可変焦点レンズ４０と同一要素には同一番号を付し、重複する説明を省略する。
【００３５】
図３において、従来の液晶可変焦点レンズと本発明に用いる液晶可変焦点レンズ１０とで異なる点は、シール部材５が液晶層４を構成する液晶材料と略同じ体積膨張率を有する材料にて構成されている点である。そして、前述したように、本発明のカメラモジュールは、この液晶可変焦点レンズ１０が、鏡筒６に対して固定剤９によって保持固定されているのが、透明基板２ｂのみとなっている点に特徴がある。
【００３６】
そして、図４（ａ）に示すように、常温環境下での液晶可変焦点レンズ１０は、液晶層４の層厚であるセルギャップは図示していないスぺーサーによって設計値に保たれている。そのため、液晶可変焦点レンズ１０の透明基板２ａ、２ｂは略平行になっており、液晶可変焦点レンズ１０の全面が同一のセルギャップＬＮとなる。
【００３７】
また、図４（ｂ）に示すように、低温環境下の液晶可変焦点レンズ１０は、温度低下によって液晶層４を構成する液晶材料が収縮する。すると、液晶材料と略同一の体積膨張率を有するシール部材５も略同じ量だけ収縮することとなるが、透明基板２ａは鏡筒６に保持固定されていないため、透明基板２ａ、２ｂの平行を保ったまま液晶層４のセルギャップはＬＬのごとく常温での値ＬＮよりも小さくなる。ここで、本発明のカメラモジュールに搭載する液晶可変焦点レンズ１０は、従来のように液晶可変焦点レンズ４０のセルギャップが部分的に異なることはなく、液晶可変焦点レンズ１０の全面が一定のセルギャップＬＬに保たれる。
【００３８】
また、図４（ｃ）に示すように、高温環境下の液晶可変焦点レンズ１０は、温度上昇によって液晶層４を構成する液晶材料が膨張して、液晶材料と略同一の体積膨張率を有するシール部材５も略同じ量の膨張することとなるが、透明基板２ａは鏡筒６に保持固定されていないため、透明基板２ａ、２ｂの平行を保ったまま液晶層４のセルギャップはＬＨのごとく常温での値ＬＮよりも大きくなる。ここで、本発明のカメラモジュールに搭載する液晶可変焦点レンズ１０は、従来のように液晶可変焦点レンズのセルギャップが部分的に異なることはなく、液晶可変焦点レンズ１０の全面が一定のセルギャップＬＨに保たれる。
【００３９】
上記のごとく本発明のカメラモジュールにおける液晶可変焦点レンズ１０は、外部環境温度の変化に対してセルギャップが変化するものの、液晶可変焦点レンズ１０の全面が略一定のセルギャップに保たれるため、従来の液晶可変焦点レンズのようにセルギャップが
部分的に異なってしまうことによる設定屈折率分布からのずれを改善する事ができる。
【００４０】
なお、図１、図２に示した液晶レンズ２０を構成する２個の液晶可変焦点レンズ１０は、図３、図４に示した図面における透明基板２ｂの液晶層とは反対側の面から離間して図示しない別の透明基板２ｃを設け、その透明基板２ｂと透明基板２ｃとの間隙に液晶層４と同じ材料からなる液晶層を配した構成となる（図１参照）。したがって、鏡筒６に固定された透明基板２ｂを基点として、両側に配した透明基板２ａ、２ｃは、シール部材５の膨張と収縮に追従して動くこととなり、さまざまな外部環境温度の変化に対して常に透明基板２ａ〜２ｃを平行に保つことができる。
【００４１】
次に、この液晶可変焦点レンズ１０における液晶材料とシール部材の体積膨張率について説明する。
従来の液晶可変焦点レンズに使用される液晶層の液晶材料は、トラン系の液晶材料であり、その体積膨張率が０.７×１０−３／Ｋである。また、シール部材１５にはエポキシ系樹脂が用いられ、その体積膨張率は０.１６×１０−３／Ｋである。このように、従来の液晶可変焦点レンズは、両者の体積膨張率に差がある材料を用いていた。そのため、外部環境温度の変化に対して先に示した図６（ｂ）図６（ｃ）のように、中凹形状や中凸形状に変形する結果となっていた。
【００４２】
これに対して、本発明のカメラモジュールで用いる液晶可変焦点レンズ１０では、液晶層４の液晶材料には、従来と同じトラン系の液晶材料を用いているので、その体積膨張率は０.７×１０−３／Ｋと従前と同じであるが、シール部材５にポリエチレン樹脂を使用した。このポリエチレン樹脂の体積膨張率は０.６×１０−３／Ｋであり、この体積膨張率は、液晶材料の体積膨張率０.７×１０−３／Ｋに非常に近い材料である。このように、略同一の体積膨張率のシール部材５と液晶層４を組み合わせて用い、且つ、透明基板２ａは鏡筒６に保持固定されていないため、例え外部環境温度が変化したとしても図４（ａ）〜図４（ｃ）に示す如く温度変化に対して透明基板２ａ、２ｂの平行が保たれて、液晶レンズとしての設定屈折率分布からのずれを改善する事ができる。
【００４３】
また、シール部材５の他の材料としては、例えば体積膨張率の小さいエポキシ系樹脂と体積膨張率の大きいシリコン系樹脂を所定の配合量で混合する事によっても、液晶材料に近い体積膨張率のシール材を得る事もできる。
【００４４】
前述の如く外部環境温度が変化すると、液晶可変焦点レンズ１０は、図４に示すようにセルギャップが変化する。このセルギャップの変化があると、通常の自動合焦点機能の動作におけるＡＦ制御に誤差が生じて、合焦点が少し甘くなってしまう結果となる。そのため本発明においては、図２で示したように駆動制御手段３０に温度検出手段３３を設け、この温度検出手段３３からの温度情報信号Ｓｔｈを制御回路３２に供給するようにしている。
【００４５】
制御回路３２は、図２に示すように、ＡＦ制御回路２５から出力されたＡＦ制御信号Ｓａｆと温度検出手段３３からの温度情報信号Ｓｔｈとを入力し、ＡＦ制御信号Ｓａｆによって指定された最適な駆動電圧条件に対して、２個の液晶可変焦点レンズ１０によって構成される液晶レンズ２０のセルギャップが、外部環境温度が変化したことによる誤差分を補正するために駆動電圧条件を可変する。すなわち制御回路３２は、ＡＦ制御信号Ｓａｆによって指定された最適な駆動電圧Ｖａｆに対して、温度情報信号Ｓｔｈに基づく補正を行うことによって駆動電圧を可変し、この可変された温度補正駆動電圧Ｖｔａｆを液晶レンズ２０に供給する。
【００４６】
このようにして液晶レンズ２０は、使用環境温度が図４（ａ）に示す常温環境下におい
ては、ＡＦ制御信号Ｓａｆのみによって駆動電圧条件が決められるが、図４（ｂ）に示す低温環境下や図４（ｃ）に示す高温環境下においては、ＡＦ制御信号Ｓａｆに液晶可変焦点レンズ１０のセルギャップ変化量を示す温度情報信号Ｓｔｈを加算して駆動電圧条件を決めることで、温度補償を行うものである。
【００４７】
なお、駆動制御手段３０は、温度情報信号Ｓｔｈが常温より高い温度情報の場合は、高い値の温度補正駆動電圧Ｖｔａｆを供給し、常温より低い温度情報信号Ｓｔｈの場合は、温度補正駆動電圧Ｖｔａｆよりも低い値の温度補正駆動電圧Ｖｔａｆを液晶レンズ２０に対して供給する。
【００４８】
上記のごとく、本発明においては、液晶可変焦点レンズ１０におけるシール部材の体積膨張率と液晶材料の体積膨張率とを略等しく、且つ、透明基板２ａ、２ｂは鏡筒６に保持固定されていないため、外部環境温度の変化に対して液晶可変焦点レンズ１０全面のセルギャップが一定に保たれる。そのため、本発明のカメラモジュールの温度特性を大幅に改善する事ができる。
【００４９】
上記説明では、３枚の透明基板２ａ〜２ｃの内の透明基板２ｂを鏡筒６に保持固定する形態を示したが、この鏡筒６に保持固定する基板は、透明基板２ａ、２ｃのいずれかであっても構わない。また、上記説明では、２個の液晶可変焦点レンズ１０を有する液晶レンズ２０を備えたカメラモジュール１の構成について説明をしたが、液晶可変焦点レンズ１０の入射光側に偏光板を供えた、１個の液晶可変焦点レンズ１０にて液晶レンズ２０を構成しても構わない。
【実施例２】
【００５０】
次に、本発明におけるカメラモジュールの他の構成例を図を用いて説明する。図５（ａ）は、鏡筒６に保持固定されていない透明基板２ａ上に絞り１６を搭載した場合の、常温環境下における入射光線１７ａの例を示した図面であり、本図面における点線は、高温環境下における透明基板２ａの位置、及び高温環境下における入射光線１７ｂを示した図面である。また、図５（ｂ）は、保持固定されている透明基板２ｂ上に絞り１６を搭載した場合の、常温環境下における入射光線１７aの例を示した図面であり、本図面における点線は、高温環境下における透明基板２ａの状態を示した図面である。
【００５１】
図５（ａ）で示すように、鏡筒６に保持固定されていない透明基板２ａ面に、絞り１６を設けると、外部温度環境の変化により、鏡筒６に保持固定されている、ここでは図示していない、図２に示した光学レンズ１１や撮像素子１２と、本図面の絞り１６との位置関係が変わってしまうこととなる。つまり、カメラモジュールに入射する入射光が、本図（ａ）に示す入射光線１７ａから入射光線１７ｂに変化することとなる。このような現象が起こると、カメラモジュールに入射する光量の変化、撮像素子面での光量分布の変化を起こしてしまう。
【００５２】
それに対して図５（ｂ）で示すように、同じく鏡筒６に保持固定されている透明基板２ｂ面に絞り１６を設けることにより、例え外部環境温度が変化したとしても、光学レンズや撮像素子と、絞り１６との位置関係が変わることなく、常に安定した入射光線１７ａを得て、カメラモジュールに入射する光量の変化、撮像素子面での光量分布変化を起こすことのない良好な画像を取得できる形態とすることができる。
【図面の簡単な説明】
【００５３】
【図１】本発明のカメラモジュールの構成を示す断面図である。
【図２】本発明のカメラモジュールの機能を示すブロック図である。
【図３】本発明のカメラモジュールにおける鏡筒内への液晶可変焦点レンズ載置形態を示す断面図である。
【図４】本発明のカメラモジュールに用いた液晶可変焦点レンズの外部環境温度が変化した際の変動を示す断面図である。
【図５】本発明のカメラモジュールにおける液晶可変焦点レンズの他の構成例を示す断面図である。
【図６】従来のカメラモジュールに用いた液晶可変焦点レンズの、外部環境温度が変化した際の変動を示す断面図である。
【符号の説明】
【００５４】
１  カメラモジュール
２ａ、２ｂ、２ｃ  透明基板
４  液晶層
５  シール部材
６  鏡筒
７  制御電極
８  対向電極
９  固定剤
１０  液晶可変焦点レンズ
１１  光学レンズ
１２  撮像素子
１６  絞り
１７ａ、１７ｂ  入射光線
２０  液晶レンズ
２４  デジタルシグナルプロセッサ（ＤＳＰ）
２５  オートフォーカス制御回路（ＡＦ制御手段）
２６  ＣＰＵ
２７  記憶装置
３０  駆動制御手段
３１  駆動回路
３２  制御回路
３３  温度検出手段
【図１】
2008058882.tif 000003
【図２】
2008058882.tif 000004
【図３】
2008058882.tif 000005
【図４】
2008058882.tif 000006
【図５】
2008058882.tif 000007
【図６】
2008058882.tif 000008